(57)【要約】不用意な入力や、操作に慣れた操作者の確認不足の入力による意図しない処理を防止する表示器を得る。経路を表示する表示手段と、経路のデータを記憶するデータ記憶部と、表示手段に重ね合わせて設置され、操作者のなぞり操作の入力を受け付ける入力手段と、表示手段に表示された経路を操作者がなぞることで入力手段へ入力されたなぞり操作の軌跡データとデータ記憶部に格納された経路データとを比較し、なぞり操作の軌跡データがデータ記憶部に格納されている経路データと一致する場合に外部装置への制御信号を出力する処理部とを備える。
2014054077.tif 000002
【特許請求の範囲】
【請求項１】
経路を表示する表示手段と、前記経路のデータを記憶するデータ記憶部と、前記表示手段に重ね合わせて設置され、操作者のなぞり操作の入力を受け付ける入力手段と、前記表示手段に表示された経路を操作者がなぞることで前記入力手段へ入力されたなぞり操作の軌跡データと前記データ記憶部に格納された経路データとを比較し、前記なぞり操作の軌跡データが前記データ記憶部に格納されている経路データと一致する場合に外部装置への制御信号を出力する処理部とを備える表示器。
【請求項２】
表示手段に表示された経路は、連続的な経路であることを特徴とする請求項１に記載の表示器。
【請求項３】
表示手段に表示された経路は、複数あることを特徴とする請求項１に記載の表示器。
【請求項４】
表示手段に表示された経路は、長さが異なることを特徴とする請求項３に記載の表示器。
【請求項５】
表示手段に表示された経路は進行方向が変わる経路であって、進行方向の変化点までの距離が異なることを特徴とする請求項３に記載の表示器。
【請求項６】
表示手段に表示された経路は、進行方向が180°以上変化し２重状の経路であることを特徴とする請求項３に記載の表示器。
【請求項７】
表示手段に表示された経路は、2重円であることを特徴とする請求項６に記載の表示器。
【請求項８】
表示手段に表示された経路は、交差することを特徴とする請求項３に記載の表示器。
【発明の詳細な説明】
【技術分野】
【０００１】
この発明は、表示手段と入力手段とを備える表示器に関するものである。
【背景技術】
【０００２】
従来の表示器においては、ＧＵＩにより表示されたボタンを単に押下することで画面の切替えや、外部装置への制御信号の出力等がなされていた（例えば、特許文献１参照）。操作者が不用意に入力してしまったり、操作に慣れた操作者がメニューの確認を怠って入力することによる意図しない処理を防ぐインターロック機能は未搭載であった。
【先行技術文献】
【特許文献】
【０００３】
【特許文献１】特許4813392（第３頁、第２図）
【発明の概要】
【発明が解決しようとする課題】
【０００４】
従来の表示器は、入力を確認する手段として操作者に１つのボタンの押下操作のみを要求していたため、操作者が不用意に入力してしまったり、操作に慣れた操作者がメニューの確認を怠って入力し、意図しない処理が行われるという問題点があった。【０００５】
この発明は上述のような課題を解決するためになされたもので、不用意な入力や、操作に慣れた操作者の確認不足の入力による意図しない処理を防止する表示器を得ることを目的とする。
【課題を解決するための手段】
【０００６】
この発明に係る表示器においては、経路を表示する表示手段と、予め記憶された経路のデータを記憶するデータ記憶部と、表示手段に重ね合わせて設置され、操作者のなぞり操作の入力を受け付ける入力手段と、表示手段に表示された経路を操作者がなぞることで入力手段へ入力されたなぞり操作の軌跡データとデータ記憶部に格納されている経路データとを比較し、なぞり操作の軌跡データがデータ記憶部に格納されている経路データと一致する場合に外部装置への制御信号を出力する処理部とを備えるものである。
【発明の効果】
【０００７】
この発明は、表示手段に表示された経路を操作者がなぞることで入力手段へ入力されたなぞり操作の軌跡データとデータ記憶部に格納されている経路データとを比較し、なぞり操作の軌跡データがデータ記憶部に格納されている経路データと一致する場合に外部装置への制御信号を出力する処理部とを備えるので、不用意な入力や、操作に慣れた操作者の確認不足の入力による意図しない処理を防止することができる。
【図面の簡単な説明】
【０００８】
【図１】この発明の実施の形態１〜４に係る表示器の全体構成を示すブロック図である。
【図２】この発明の実施の形態１に係る表示器の、表示手段、及び表示手段に重ね合わせて設置された入力手段の操作画面を示す図である。
【図３】この発明の実施の形態１に係る表示器の操作手順を示すフローチャートである。
【図４】この発明の実施の形態２〜４に係る表示器の操作手順を示すフローチャートである。
【図５】この発明の実施の形態２に係る表示器の、表示手段、及び表示手段に重ね合わせて設置された入力手段の操作画面を示す図である。
【図６】この発明の実施の形態２に係る表示器の、表示手段、及び表示手段に重ね合わせて設置された入力手段におけるその他の操作画面を示す図である。
【図７】この発明の実施の形態２に係る表示器の、表示手段、及び表示手段に重ね合わせて設置された入力手段におけるその他の操作画面を示す図である。
【図８】この発明の実施の形態３に係る表示器の、表示手段、及び表示手段に重ね合わせて設置された入力手段の操作画面を示す図である。
【図９】この発明の実施の形態３に係る表示器の、表示手段、及び表示手段に重ね合わせて設置された入力手段におけるその他の操作画面を示す図である。
【図１０】この発明の実施の形態３に係る表示器の、表示手段、及び表示手段に重ね合わせて設置された入力手段におけるその他の操作画面を示す図である。
【図１１】この発明の実施の形態３に係る表示器の、表示手段、及び表示手段に重ね合わせて設置された入力手段におけるその他の操作画面を示す図である。
【図１２】この発明の実施の形態４に係る表示器の、表示手段、及び表示手段に重ね合わせて設置された入力手段の操作画面を示す図である。
【発明を実施するための形態】
【０００９】
実施の形態１．
図1はこの発明の実施の形態１を示す表示器の全体構成図である。操作者1は表示器2の入力手段3を操作し、統括処理部4は入力手段3の入力に応じ処理を行う。ここで、入力手段3は表示手段7に重ね合わせて設置されている。また、表示器2は入力手段3、表示手段7、統括処理部4以外にも、データ記憶部5、表示生成部6、外部装置接続I/F 8を有し、データ記憶部5は経路データ501、及び表示データ502を格納している。表示器2は外部装置接続I/F 8を通じシーケンサ等の外部装置9に接続されている。さらに、ここに図示はしていないが外部装置9はロボット等の産業機械に接続されている。
【００１０】
図2は表示手段7、及び表示手段7に重ね合わせて設置された入力手段3の画面での一例で、表示器2の表示手段7上に、ＧＵＩである7a1,7a2,7b,7c,7d,7e,7fを表示している。なお、7a1,7a2,7b,7c,7d,7e,7f といった各パーツを表示するためのデータはデータ記憶部5の中に表示データ502として格納されている。7a1,7a2は経路データ501に基づき表示した経路であり、動作を実行させたい場合は矢印の始点7bから終点7cに向かってスライドスイッチ7dを移動させて連続的ななぞり操作を実施する。動作を実行しない場合は、キャンセルボタン7eを押下すればよい。この例ではなぞり操作を実施しており、経路上であってなぞり操作を終えた箇所7a1については色を変えている。色が変わっていない箇所7a2についても、スライドスイッチ7dを動かしなぞり操作を実施すると7a1と同様の色に変化していく。色を変える機能により、操作者に対して操作に対する帰還が働き、なぞり操作が容易となる。
【００１１】
図3は表示器において、制御手順の一例を示すフローチャートである。まずS11では表示生成部6がデータ記憶部5に記憶された経路データ501及び表示データ502に基づき画面データ生成し、表示手段7、及び統括処理部4に送信する。表示手段7への送信は、画面を表示するためであり、統括処理部4への送信は、統括処理部4が画面上のどの位置の押下操作で何の処理をするか、又はどのなぞり操作で何の処理をするかといった、画面データに対応する処理情報を認識するためである。次にS12で統括処理部4がキャンセルボタン7eが押下されたか判断し、押下されない場合にはS13に、押下された場合には終了に進む。S13では、統括処理部4が入力手段3への入力がなぞり操作開始か判断し、なぞり操作開始の場合はS14に進み、開始でない場合はS12に戻る。これにより、不用意な入力や操作者の確認不足による意図しない処理を防ぐことができる。S14では、統括処理部4がなぞり操作の軌跡から軌跡データを生成し、データ記憶部に格納されている経路データと比較する。なぞり操作の軌跡データがデータ記憶部に格納されている経路データと一致する場合にはS15に、一致しない場合はS16に進む。なお、データ記憶部に格納されている経路データ全てがなぞり操作の軌跡データと一致した時、なぞり操作の軌跡データとデータ記憶部に格納されている経路データが一致したと判断される。つまり、なぞり操作が完了するまではS16に進み、完了するとS15に進む。
【００１２】
この例ではS15以降で、外部装置に制御信号を送信し、外部装置の状態を入手し、外部装置の状態を画面に表示することとしているが、なぞり操作の軌跡データとデータ記憶部に格納されている経路データが一致した場合に実施する処理は、この例に限られるものではない。S15では、外部装置9を制御するため、統括処理部4が外部装置I/F 8を通じ外部装置9に例えば動作を開始する信号を送信する。次にS17では、統括処理部4が、例えば動作速度等の外部装置9の状態を示すデータを外部装置接続I/F 8を通じ入手し、表示生成部6に送信する。S18では、表示生成部6が統括処理部4から送信された外部装置9の状態を示すデータと、表示データ502に基づき画面データを生成し、表示手段7に送信し、表示手段7に外部装置9の状態を表示する。一方S14で、なぞり操作の軌跡データがデータ記憶部に格納されている経路データと一致せずS16に進んだ場合、表示生成部6がデータ記憶部5の表示データ502を用いて再入力画面表示用データを生成し、表示手段7、及び統括処理部4に送信し、表示手段7に再入力画面データが表示され、S12に戻る。
【００１３】
このように、表示手段7に表示された経路7a1,7a2のなぞり操作により入力手段へ入力されたなぞり操作の軌跡データとデータ記憶部に格納されている経路データとが一致する場合に外部装置9に制御信号を送信するので、不用意な入力や操作者の確認不足による意図しない処理を防ぐことができる。
【００１４】
実施の形態２．
実施の形態２に係る表示器２の構成は実施の形態1と同様で、統括処理部4の動作は図4のようにしている。図4は、図2に対しキャンセルボタンの押下S12が無いところのみが異なり、その他の処理は同様である。また、本実施の形態では、図4のS13で判断の対象とされるなぞり操作を図５から図７のように両手での操作で、実施の形態１と同様、連続的ななぞり操作とする。いずれも図2同様、2は表示器、7は表示手段、3は入力手段であり、入力手段3は表示手段7と重ね合わせて設置されている。
【００１５】
図５では、文字表示7fに示されているように、左右同時に経路の始点7bを押下し、スライドスイッチ7dを左右対称に移動させ、左右同時に経路の終点7cに到達させる。ここでも操作性向上のため、経路データの表示上であってなぞり操作を終えた箇所7a1については、表示の色を変えている。色が変わっていない箇所7a2についても、スライドスイッチ7dを動かしなぞり操作を実施すると7a1と同様の色に変化していく。図６の例では、文字表示7fに示されているように、経路7aの始点7bを同時に押下し、終点7cに向かってスライドスイッチ7dを左右対称となるように移動させ、終点7cに同時に到達するようなぞり操作を実施する。図７の場合、経路7aの始点7bを２点同時に押下し、左右対称となるよう経路7aの終点7cまでスライドスイッチ7dを移動させ、経路7aの終点7cで同時に到達するようなぞり操作を実施する。
【００１６】
本実施例によれば、不用意な入力や操作者の確認不足な入力による意図しない処理を防げるだけでなく、以下２点のようなさらなる効果もある。１点目の効果としては、例えば外部装置9がプレス機等に接続されている場合、操作者1が片手で入力操作を行っていると、入力操作に気を取られて操作していない側の手がプレス機等に挟み込まれる可能性がある。しかし本実施の形態におけるなぞり操作の場合、入力操作に両手が拘束されるためプレス機等の機器への手の挟み込みも防止することができる。
【００１７】
２点目のさらなる効果は以下である。従来、ボタンを複数押下させる表示器は、高価なデジタルマトリックス方式で構成する必要があり、コストアップが必要であった。一方、本実施の形態では、処理部が複数のなぞり操作の軌跡を認識できればよいため、高価なデジタルマトリックスで構成する必要がない。したがって、汎用の安価なアナログ抵抗膜で構成することができ、コストダウンが可能である。
【００１８】
実施の形態３．
本実施の形態は、実施の形態２と同様の効果をより確実にする実施例であり、データ記憶部に格納されている経路データは、片手でなぞり操作を行うことが難しい経路としている。両手でなぞり操作を行うことにより、不用意な入力や操作者の確認不足な入力による意図しない処理を確実に防ぎ、さらにプレス機等の機器への手の挟み込みを確実に防止することができる。実施の形態３に係る表示器2の構成、及び統括処理部4の動作は実施の形態2と同様とし、なぞり操作を図8から図１１のいずれかのような操作で連続的ななぞりとする。いずれも図2同様、2は表示器、7は表示手段、3は表示手段7に重ね合わせて設置された入力手段であり、7aは経路データ501に基づき表示した経路、7bは文字表示、7cはスライドスイッチである。図8の場合、文字表示7bに示されているように表示手段7に表示された経路7aの始点7bを２点同時に押下し、終点7dに向かって画面中心点に対しちょうど点対称となるようにスライドスイッチ7dを移動させ、終点7cに同時に到達するようなぞり操作を実施する。この経路7aは片手でなぞり操作を行うと指のひねりを伴うため、片手でなぞるのは難しい。
【００１９】
図9の場合、文字表示7fに示されているように、表示手段7に表示された経路7aの始点7bを２点同時に押下し、経路の終点7cに同時に到達するようスライドスイッチ7dを移動させ、なぞり操作を実施する。ここでは、２本の経路は始点から進行方向が変わる箇所までの距離が異なるため、左右同じ速度でなぞると対称になぞることはできないため、なぞり操作の始点7bと終点7cを操作するタイミングが左右同時であればよいとする。また、この経路は、２本の経路の始点から進行方向の変化点までの距離が異なるため、片手でなぞるのは難しい。
【００２０】
図10の場合、表示手段7に表示された経路7aの始点7bを２点同時に押下し、経路の終点7cに同時に到達するようスライドスイッチ7dを移動させ、なぞり操作を実施する。この経路についても２本の経路が対称な図形ではないため、経路の始点7bと終点7cでの操作が左右の手で同時であればよいとする。またこの経路は、片手でなぞり操作を行うと指のひねりを伴うため、片手でなぞるのは難しい。図11の場合、表示手段7に表示された経路7aの始点7bを２点同時に押下し、経路の終点7cに同時に到達するようスライドスイッチ7dを移動させ、なぞり操作を実施する。この経路は左右対称になぞり操作を行うと、経路が交差する箇所で指がぶつかり操作性が悪いため、なぞり操作の始点7bと終点7cの操作が左右同時であればよいとする。またこの経路は、片手でなぞり操作を行うと指のひねりを伴うため、片手でなぞるのは難しい。
【００２１】
これらの場合、いずれの経路も２つの経路が非対称であったり、片手でなぞり操作を行うと指のひねりを伴ったり、２つの経路の始点から進行方向の変化点までの距離が異なっているなど、片手での操作がしにくい経路のため、例えば入力手段3が小さいなど経路間の距離が狭くても両手での操作を潜在的に操作者に促し、不用意な入力や操作者の確認不足による意図しない処理、及び外部装置9をプレス機等と接続した場合の手の挟み込みをより確実に防止することができる。また、実施の形態２と同様、２点なぞり動作が検出可能である汎用の安価なアナログ抵抗膜を用いることができ、従来の、デジタルマトリックス方式を採用し2点押し操作を可能とした場合と比べ、コストダウンが可能である。なお、片手での操作がしにくい経路というのは、ここで挙げた例に限られない。
【００２２】
実施の形態４．
実施の形態４に係る表示器1の構成、及び統括処理部2の動作は実施の形態３と同様で、なぞり操作を実施の形態１〜３と異なり不連続とする。図１２は本実施の形態にかかる不連続ななぞり操作の例で、図９に対しタッチポイント7gを設けたところのみが異なる。本実施の形態における経路7aの不連続ななぞり操作とは、経路の始点7b,タッチポイント7g、経路の終点7cの３点を左右同時に押下する操作である。ここではタッチポイントを左右１つづつとしたが、複数設けてもよい。さらに、タッチポイントを設ける経路7aは図9の経路に限られず、上述の図2、図5〜8、図10〜11の経路でもよいし、それ以外の経路でもよい。なお、アナログ抵抗膜方式では２点押下が検出不可能なため、２点押下が検出可能なデジタルマトリックス方式で構成する。この場合には実施の形態２と同様、不用意な入力や操作者の確認不足による意図しない処理を防げるだけでなく、プレス機等の機器への手の挟み込みも防止することができる。
【符号の説明】
【００２３】
2 表示器
3 入力手段
4 統括処理部
5 データ記憶部
7 表示手段
7a 表示手段に表示された経路
9 外部装置
【図１】
2014054077.tif 000003
【図２】
2014054077.tif 000004
【図３】
2014054077.tif 000005
【図４】
2014054077.tif 000006
【図５】
2014054077.tif 000007
【図６】
2014054077.tif 000008
【図７】
2014054077.tif 000009
【図８】
2014054077.tif 000010
【図９】
2014054077.tif 000011
【図１０】
2014054077.tif 000012
【図１１】
2014054077.tif 000013
【図１２】
2014054077.tif 000014
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
両手でのなぞり操作を促す複数の経路を表示する表示手段と、前記複数の経路のデータを記憶するデータ記憶部と、前記表示手段に重ね合わせて設置され、操作者のなぞり操作の入力を受け付ける入力手段と、前記表示手段に表示された複数の経路を操作者が両手でなぞることで前記入力手段へ入力されたなぞり操作の複数の軌跡データと前記データ記憶部に格納された複数の経路データとをそれぞれ比較し、前記なぞり操作の複数の軌跡データが前記データ記憶部に格納されている複数の経路データとそれぞれ一致し、両手の拘束が確認できた場合に産業機械への制御信号を出力する処理部とを備える表示器。
【請求項２】
両手でのなぞり操作を促す複数の経路を表示する表示手段と、前記複数の経路のデータを記憶するデータ記憶部と、前記表示手段に重ね合わせて設置され、操作者のなぞり操作の入力を受け付ける入力手段と、前記表示手段に表示された複数の経路を操作者が両手でなぞることで前記入力手段へ入力されたなぞり操作の複数の軌跡データと前記データ記憶部に格納された複数の経路データとをそれぞれ比較し、前記なぞり操作の複数の軌跡データが前記データ記憶部に格納されている複数の経路データとそれぞれ一致し、両手の拘束が確認できた場合にインターロックを解除する処理部とを備える表示器。
【請求項３】
前記処理部の両手の拘束の確認は、前記複数のなぞり操作がそれぞれの経路データの終点に同時に到達したか否かを判定することで実施することを特徴とする請求項１又は２に記載の表示器。
【請求項４】
表示手段に表示された経路は、長さが異なることを特徴とする請求項１から３のいずれか一項に記載の表示器。
【請求項５】
表示手段に表示された経路は進行方向が変わる経路であって、進行方向の変化点までの距離が異なることを特徴とする請求項１から３のいずれか一項に記載の表示器。
【請求項６】
表示手段に表示された経路は、進行方向が１８０°以上変化し２重状の経路であることを特徴とする請求項１から３のいずれか一項に記載の表示器。
【請求項７】
表示手段に表示された経路は、２重円であることを特徴とする請求項６に記載の表示器。
【請求項８】
表示手段に表示された経路は、交差することを特徴とする請求項１から３のいずれか一項に記載の表示器。
【手続補正２】
【補正対象書類名】明細書
【補正対象項目名】全文
【補正方法】変更
【補正の内容】
【発明の詳細な説明】
【技術分野】
【０００１】
この発明は、表示手段と入力手段とを備える表示器に関するものである。
【背景技術】
【０００２】
従来の表示器においては、ＧＵＩにより表示されたボタンを単に押下することで画面の切替えや、外部装置への制御信号の出力等がなされていた（例えば、特許文献１参照）。操作者が不用意に入力してしまったり、操作に慣れた操作者がメニューの確認を怠って入力することによる意図しない処理を防ぐインターロック機能は未搭載であった。
【先行技術文献】
【特許文献】
【０００３】
【特許文献１】特許４８１３３９２（第３頁、第２図）
【発明の概要】
【発明が解決しようとする課題】
【０００４】
従来の表示器は、入力を確認する手段として操作者に１つのボタンの押下操作のみを要求していたため、操作者が不用意に入力してしまったり、操作に慣れた操作者がメニューの確認を怠って入力し、意図しない処理が行われるという問題点があった。
【０００５】
この発明は上述のような課題を解決するためになされたもので、不用意な入力や、操作に慣れた操作者の確認不足の入力による意図しない処理を防止する表示器を得ることを目的とする。
【課題を解決するための手段】
【０００６】
この発明に係る表示器においては、表示手段に表示された複数の経路を操作者が両手でなぞることで入力手段へ入力されたなぞり操作の軌跡データとデータ記憶部に格納されている複数の経路データとを比較し、なぞり操作の軌跡データがデータ記憶部に格納されている経路データとそれぞれ一致し、両手の拘束が確認できた場合に制御信号を出力する処理部を備えるものである。
【発明の効果】
【０００７】
この発明は、表示手段に表示された経路を操作者がなぞることで入力手段へ入力されたなぞり操作の軌跡データとデータ記憶部に格納されている経路データとを比較し、なぞり操作の軌跡データがデータ記憶部に格納されている経路データと一致する場合に外部装置への制御信号を出力する処理部とを備えるので、不用意な入力や、操作に慣れた操作者の確認不足の入力による意図しない処理を防止することができる。
【図面の簡単な説明】
【０００８】
【図１】この発明の参考例１、及び実施の形態１〜３に係る表示器の全体構成を示すブロック図である。
【図２】この発明の参考例１に係る表示器の、表示手段、及び表示手段に重ね合わせて設置された入力手段の操作画面を示す図である。
【図３】この発明の参考例１に係る表示器の操作手順を示すフローチャートである。
【図４】この発明の実施の形態１〜３に係る表示器の操作手順を示すフローチャートである。
【図５】この発明の実施の形態１に係る表示器の、表示手段、及び表示手段に重ね合わせて設置された入力手段の操作画面を示す図である。
【図６】この発明の実施の形態１に係る表示器の、表示手段、及び表示手段に重ね合わせて設置された入力手段におけるその他の操作画面を示す図である。
【図７】この発明の実施の形態１に係る表示器の、表示手段、及び表示手段に重ね合わせて設置された入力手段におけるその他の操作画面を示す図である。
【図８】この発明の実施の形態２に係る表示器の、表示手段、及び表示手段に重ね合わせて設置された入力手段の操作画面を示す図である。
【図９】この発明の実施の形態２に係る表示器の、表示手段、及び表示手段に重ね合わせて設置された入力手段におけるその他の操作画面を示す図である。
【図１０】この発明の実施の形態２に係る表示器の、表示手段、及び表示手段に重ね合わせて設置された入力手段におけるその他の操作画面を示す図である。
【図１１】この発明の実施の形態２に係る表示器の、表示手段、及び表示手段に重ね合わせて設置された入力手段におけるその他の操作画面を示す図である。
【図１２】この発明の実施の形態３に係る表示器の、表示手段、及び表示手段に重ね合わせて設置された入力手段の操作画面を示す図である。
【発明を実施するための形態】
【０００９】
参考例１．
図１はこの発明の参考例１を示す表示器の全体構成図である。操作者１は表示器２の入力手段３を操作し、統括処理部４は入力手段３の入力に応じ処理を行う。ここで、入力手段３は表示手段７に重ね合わせて設置されている。また、表示器２は入力手段３、表示手段７、統括処理部４以外にも、データ記憶部５、表示生成部６、外部装置接続Ｉ／Ｆ  ８を有し、データ記憶部５は経路データ５０１、及び表示データ５０２を格納している。表示器２は外部装置接続Ｉ／Ｆ  ８を通じシーケンサ等の外部装置９に接続されている。さらに、ここに図示はしていないが外部装置９はロボット等の産業機械に接続されている。
【００１０】
図２は表示手段７、及び表示手段７に重ね合わせて設置された入力手段３の画面での一例で、表示器２の表示手段７上に、ＧＵＩである７ａ１，７ａ２，７ｂ，７ｃ，７ｄ，７ｅ，７ｆを表示している。なお、７ａ１，７ａ２，７ｂ，７ｃ，７ｄ，７ｅ，７ｆ  といった各パーツを表示するためのデータはデータ記憶部５の中に表示データ５０２として格納されている。７ａ１，７ａ２は経路データ５０１に基づき表示した経路であり、動作を実行させたい場合は矢印の始点７ｂから終点７ｃに向かってスライドスイッチ７ｄを移動させて連続的ななぞり操作を実施する。動作を実行しない場合は、キャンセルボタン７ｅを押下すればよい。この例ではなぞり操作を実施しており、経路上であってなぞり操作を終えた箇所７ａ１については色を変えている。色が変わっていない箇所７ａ２についても、スライドスイッチ７ｄを動かしなぞり操作を実施すると７ａ１と同様の色に変化していく。色を変える機能により、操作者に対して操作に対する帰還が働き、なぞり操作が容易となる。
【００１１】
図３は表示器において、制御手順の一例を示すフローチャートである。まずＳ１１では表示生成部６がデータ記憶部５に記憶された経路データ５０１及び表示データ５０２に基づき画面データ生成し、表示手段７、及び統括処理部４に送信する。表示手段７への送信は、画面を表示するためであり、統括処理部４への送信は、統括処理部４が画面上のどの位置の押下操作で何の処理をするか、又はどのなぞり操作で何の処理をするかといった、画面データに対応する処理情報を認識するためである。次にＳ１２で統括処理部４がキャンセルボタン７ｅが押下されたか判断し、押下されない場合にはＳ１３に、押下された場合には終了に進む。Ｓ１３では、統括処理部４が入力手段３への入力がなぞり操作開始か判断し、なぞり操作開始の場合はＳ１４に進み、開始でない場合はＳ１２に戻る。これにより、不用意な入力や操作者の確認不足による意図しない処理を防ぐことができる。Ｓ１４では、統括処理部４がなぞり操作の軌跡から軌跡データを生成し、データ記憶部に格納されている経路データと比較する。なぞり操作の軌跡データがデータ記憶部に格納されている経路データと一致する場合にはＳ１５に、一致しない場合はＳ１６に進む。なお、データ記憶部に格納されている経路データ全てがなぞり操作の軌跡データと一致した時、なぞり操作の軌跡データとデータ記憶部に格納されている経路データが一致したと判断される。つまり、なぞり操作が完了するまではＳ１６に進み、完了するとＳ１５に進む。
【００１２】
この例ではＳ１５以降で、外部装置に制御信号を送信し、外部装置の状態を入手し、外部装置の状態を画面に表示することとしているが、なぞり操作の軌跡データとデータ記憶部に格納されている経路データが一致した場合に実施する処理は、この例に限られるものではない。Ｓ１５では、外部装置９を制御するため、統括処理部４が外部装置Ｉ／Ｆ  ８を通じ外部装置９に例えば動作を開始する信号を送信する。次にＳ１７では、統括処理部４が、例えば動作速度等の外部装置９の状態を示すデータを外部装置接続Ｉ／Ｆ  ８を通じ入手し、表示生成部６に送信する。Ｓ１８では、表示生成部６が統括処理部４から送信された外部装置９の状態を示すデータと、表示データ５０２に基づき画面データを生成し、表示手段７に送信し、表示手段７に外部装置９の状態を表示する。一方Ｓ１４で、なぞり操作の軌跡データがデータ記憶部に格納されている経路データと一致せずＳ１６に進んだ場合、表示生成部６がデータ記憶部５の表示データ５０２を用いて再入力画面表示用データを生成し、表示手段７、及び統括処理部４に送信し、表示手段７に再入力画面データが表示され、Ｓ１２に戻る。
【００１３】
このように、表示手段７に表示された経路７ａ１，７ａ２のなぞり操作により入力手段へ入力されたなぞり操作の軌跡データとデータ記憶部に格納されている経路データとが一致する場合に外部装置９に制御信号を送信するので、不用意な入力や操作者の確認不足による意図しない処理を防ぐことができる。
【００１４】
実施の形態１．
実施の形態１に係る表示器２の構成は参考例１と同様で、統括処理部４の動作は図４のようにしている。図４は、図２に対しキャンセルボタンの押下Ｓ１２が無いところのみが異なり、その他の処理は同様である。また、本実施の形態では、図４のＳ１３で判断の対象とされるなぞり操作を図５から図７のように両手での操作で、参考例１と同様、連続的ななぞり操作とする。いずれも図２同様、２は表示器、７は表示手段、３は入力手段であり、入力手段３は表示手段７と重ね合わせて設置されている。
【００１５】
図５では、文字表示７ｆに示されているように、左右同時に経路の始点７ｂを押下し、スライドスイッチ７ｄを左右対称に移動させ、左右同時に経路の終点７ｃに到達させる。ここでも操作性向上のため、経路データの表示上であってなぞり操作を終えた箇所７ａ１については、表示の色を変えている。色が変わっていない箇所７ａ２についても、スライドスイッチ７ｄを動かしなぞり操作を実施すると７ａ１と同様の色に変化していく。図６の例では、文字表示７ｆに示されているように、経路７ａの始点７ｂを同時に押下し、終点７ｃに向かってスライドスイッチ７ｄを左右対称となるように移動させ、終点７ｃに同時に到達するようなぞり操作を実施する。図７の場合、経路７ａの始点７ｂを２点同時に押下し、左右対称となるよう経路７ａの終点７ｃまでスライドスイッチ７ｄを移動させ、経路７ａの終点７ｃで同時に到達するようなぞり操作を実施する。
【００１６】
本実施例によれば、不用意な入力や操作者の確認不足な入力による意図しない処理を防げるだけでなく、以下２点のようなさらなる効果もある。１点目の効果としては、例えば外部装置９がプレス機等に接続されている場合、操作者１が片手で入力操作を行っていると、入力操作に気を取られて操作していない側の手がプレス機等に挟み込まれる可能性がある。しかし本実施の形態におけるなぞり操作の場合、入力操作に両手が拘束されるためプレス機等の機器への手の挟み込みも防止することができる。
【００１７】
２点目のさらなる効果は以下である。従来、ボタンを複数押下させる表示器は、高価なデジタルマトリックス方式で構成する必要があり、コストアップが必要であった。一方、本実施の形態では、処理部が複数のなぞり操作の軌跡を認識できればよいため、高価なデジタルマトリックスで構成する必要がない。したがって、汎用の安価なアナログ抵抗膜で構成することができ、コストダウンが可能である。
【００１８】
実施の形態２．
本実施の形態は、実施の形態１と同様の効果をより確実にする実施例であり、データ記憶部に格納されている経路データは、片手でなぞり操作を行うことが難しい経路としている。両手でなぞり操作を行うことにより、不用意な入力や操作者の確認不足な入力による意図しない処理を確実に防ぎ、さらにプレス機等の機器への手の挟み込みを確実に防止することができる。実施の形態２に係る表示器２の構成、及び統括処理部４の動作は実施の形態１と同様とし、なぞり操作を図８から図１１のいずれかのような操作で連続的ななぞりとする。いずれも図２同様、２は表示器、７は表示手段、３は表示手段７に重ね合わせて設置された入力手段であり、７ａは経路データ５０１に基づき表示した経路、７ｂは文字表示、７ｃはスライドスイッチである。図８の場合、文字表示７ｂに示されているように表示手段７に表示された経路７ａの始点７ｂを２点同時に押下し、終点７ｄに向かって画面中心点に対しちょうど点対称となるようにスライドスイッチ７ｄを移動させ、終点７ｃに同時に到達するようなぞり操作を実施する。この経路７ａは片手でなぞり操作を行うと指のひねりを伴うため、片手でなぞるのは難しい。
【００１９】
図９の場合、文字表示７ｆに示されているように、表示手段７に表示された経路７ａの始点７ｂを２点同時に押下し、経路の終点７ｃに同時に到達するようスライドスイッチ７ｄを移動させ、なぞり操作を実施する。ここでは、２本の経路は始点から進行方向が変わる箇所までの距離が異なるため、左右同じ速度でなぞると対称になぞることはできないため、なぞり操作の始点７ｂと終点７ｃを操作するタイミングが左右同時であればよいとする。また、この経路は、２本の経路の始点から進行方向の変化点までの距離が異なるため、片手でなぞるのは難しい。
【００２０】
図１０の場合、表示手段７に表示された経路７ａの始点７ｂを２点同時に押下し、経路の終点７ｃに同時に到達するようスライドスイッチ７ｄを移動させ、なぞり操作を実施する。この経路についても２本の経路が対称な図形ではないため、経路の始点７ｂと終点７ｃでの操作が左右の手で同時であればよいとする。またこの経路は、片手でなぞり操作を行うと指のひねりを伴うため、片手でなぞるのは難しい。図１１の場合、表示手段７に表示された経路７ａの始点７ｂを２点同時に押下し、経路の終点７ｃに同時に到達するようスライドスイッチ７ｄを移動させ、なぞり操作を実施する。この経路は左右対称になぞり操作を行うと、経路が交差する箇所で指がぶつかり操作性が悪いため、なぞり操作の始点７ｂと終点７ｃの操作が左右同時であればよいとする。またこの経路は、片手でなぞり操作を行うと指のひねりを伴うため、片手でなぞるのは難しい。
【００２１】
これらの場合、いずれの経路も２つの経路が非対称であったり、片手でなぞり操作を行うと指のひねりを伴ったり、２つの経路の始点から進行方向の変化点までの距離が異なっているなど、片手での操作がしにくい経路のため、例えば入力手段３が小さいなど経路間の距離が狭くても両手での操作を潜在的に操作者に促し、不用意な入力や操作者の確認不足による意図しない処理、及び外部装置９をプレス機等と接続した場合の手の挟み込みをより確実に防止することができる。また、実施の形態１と同様、２点なぞり動作が検出可能である汎用の安価なアナログ抵抗膜を用いることができ、従来の、デジタルマトリックス方式を採用し２点押し操作を可能とした場合と比べ、コストダウンが可能である。なお、片手での操作がしにくい経路というのは、ここで挙げた例に限られない。
【００２２】
実施の形態３．
実施の形態３に係る表示器１の構成、及び統括処理部２の動作は実施の形態２と同様で、なぞり操作を参考例１、及び実施の形態１〜２と異なり不連続とする。図１２は本実施の形態にかかる不連続ななぞり操作の例で、図９に対しタッチポイント７ｇを設けたところのみが異なる。本実施の形態における経路７ａの不連続ななぞり操作とは、経路の始点７ｂ，タッチポイント７ｇ、経路の終点７ｃの３点を左右同時に押下する操作である。ここではタッチポイントを左右１つづつとしたが、複数設けてもよい。さらに、タッチポイントを設ける経路７ａは図９の経路に限られず、上述の図２、図５〜８、図１０〜１１の経路でもよいし、それ以外の経路でもよい。なお、アナログ抵抗膜方式では２点押下が検出不可能なため、２点押下が検出可能なデジタルマトリックス方式で構成する。この場合には実施の形態１と同様、不用意な入力や操作者の確認不足による意図しない処理を防げるだけでなく、プレス機等の機器への手の挟み込みも防止することができる。
【符号の説明】
【００２３】
２  表示器
３  入力手段
４  統括処理部
５  データ記憶部
７  表示手段
７ａ  表示手段に表示された経路
９  外部装置
【国際調査報告】
2014054077.tif 000015
2014054077.tif 000016